Podtech/llm-jp-corpus-v4-ja_patent huggingface dataset:
(57)【要約】【課題】提灯のシェード部の外観デザインにモダンを施し、提灯の台座デザインに斬新な形状デザインを施し、完成形の提灯型電気スタンドは本体に照明部材を有し、折りたたまない提灯はかさばらず、簡単に装着できる卓上型提灯のせ電気スタンドを提供する。尚、商品バージョンには折りたたむ提灯も含む。【解決手段】円筒形の台座内部に照明部を有し、提灯固定用ストッパーを接着し、外側からは、固定立脚の仕組みが見えない上にシンプルな構造で安定した立脚を保持しより提灯のあかりが安定します。【選択図】図１
2016207628.tif 000002
【特許請求の範囲】
【請求項１】
円筒型の台座と、提灯型シェードを有する提灯のせ電気スタンドであって、前記提灯型シェードは弾性を有し、前記台座に、前記提灯型シェードの下部開口部を固定する固定手段を有することを特徴とする提灯のせ電気スタンド。
【発明の詳細な説明】
【技術分野】
【０００１】本発明は、提灯型シェードと、それを固定する円筒型台座を立脚一体化させた自立型の電気スタンドに関わる。
【背景技術】
【０００２】従来は、上下内側に伸縮する特性を持つ提灯シェードではあるが、あえてシェードを上下にたたまないことで、その立脚を安定させ、照明の火袋の上下を固定する必要性があるが、自在に伸縮する提灯シェードの下部開口部のみを固定することで、完全なる立脚を解決し、その未来感覚やハイテクな雰囲気と日本古来からある和紙と融合させることにより、ハイテクモダンな和風ランプシェードとして存在させ、広くインテリア照明として認知を仰ぐ。尚、商品にはシェードを上下にたたむバージョンも含む。
【先行技術文献】
【特許文献】
【０００３】
【特許文献１】特開２００４−２９６１６８号公報
【特許文献２】特開２０１３−４５１２号公報
【発明の概要】
【発明が解決しようとする課題】
【０００４】インテリア照明として認知されてる和照明デザインの進歩は他のデザイン家具に比べて変化・発展に乏しく現在に至ってる。本発明は上記の問題点を解決しようとするもので、外観デザインにモダンを施し、照明部の和紙と行灯デザインに斬新な形状デザインを施し、完成形の電気スタンドは、従来は、上下内側に伸縮する特性を持つ提灯シェードではあるが、あえてシェードを上下にたたまないことで、その立脚を安定させ、円筒状の筒の行灯に、照明部材を固定一体化させ、コード付きクリップと、はかさばらずに済むことにある。尚、商品にはシェードを上下にたたむバージョンも含む。
【課題を解決するための手段】
【０００５】円筒状の台座と、照明部材と、提灯型シェードと、それを固定する行灯を立脚一体化させた自立型電気スタンドであって、前記円筒状の台座底面は完全に安定固定され、前記円筒状の台座の内側面に、照明部材を固定する固定手段を有することを特徴とする、提灯のせ電気スタンド。
【発明の効果】
【０００６】以上の説明のように発明すれば材料も少なく組み立てもシンプルで簡単である。台座を円筒状にすることにより電気スタンドの立脚を安定化させ、他との差別化にもなり、和のテイストに加えモダンでユニークな印象を得られる。今回使用する材料は透明アクリルであるが、成形合板でもまた同じ効果を共有することができる。特徴は、円筒型台座の中心に、一見提灯のみが乗っかって見え、見事に内側からあかりが灯る姿の不思議さにある。従来は、上下内側に伸縮する特性を持つ提灯シェードに対し、あえて提灯シェードを上下にたたまないことで、その立脚を安定させ、提灯シェードの上下を固定する必要性があるが、自在に伸縮する提灯シェードの下部開口部の内側のみ３点を固定することで、完全なる立脚を解決させ、提灯のみが中心に張り付いて見え、照明部材は台座内に収納設置され、提灯は台座ぴったり１ミリの隙もなく固定されてるため、灯した時に幻想的に見えること。加えて台座の着地面が平板状であること、台座と本体を完全一体化することにある。尚、商品にはシェードを上下にたたむバージョンも含む。
【図面の簡単な説明】
【０００７】
【図１】この発明の実施の形態の１例を示す卓上型提灯のせ電気スタンドの斜視図である。
【発明を実施するための形態】
【０００８】以下図を参照しながら形態を説明する。図中、１は提灯のせ電気スタンドで、スタンド本体２に、内側のみに伸縮する提灯シェード３を保持させて成る。従来、提灯シェードは上下内側に伸縮するが、この発明は上下に伸縮させないで内側の伸縮を利用して立脚させる構造を有する。次にスタンドの円筒台座について説明すると、卓上その他に設置することを考慮した円筒台座は、短くカットされていて上部中心部４には、正円５が切り抜かれ、台座の中から電球がねじ込まれたコード付きクリップ型ソケット部の６を閉じて押し入れ、丸い穴の中で開いて固定します。次に内側のみに伸縮する提灯シェードを上からかぶせます。台座上部の照明部に空けられた正円の外側に取り付けられた提灯シェード用ストッパーに引っ掛けます。提灯シェード下部８−Ａ・８−Ｂを、ストッパー上部７−Ａ・７−Ｂに外側から引っ掛けます。伸縮する弾性を利用して手前に８−Ｃを引き、ストッパー下部７−Ｃの下溝部に留めて卓上型提灯のせ電気スタンドは完成します。
【００９】この発明の特徴は、円筒台座に収納された照明部がシンプルであること、取り付けもシンプルであることに加え、上下内側に伸縮する提灯シェードをあえて上下に折りたたまず、ぴんと伸ばしたままにして内側の伸縮を利用して、提灯が台座と立脚一体化しているように見える不思議感にあります。提灯をたたんでしまうと、形が崩れてしまい、それをピンと伸ばす手段が必要になることに加え、たたまないことで提灯の表面にデザインされた絵柄が壊れずにすみ、たたまないことで安定したあかりを保持できます。尚、商品にはシェードを上下にたたむバージョンも含む。
【符号の説明】
【００１０】１…卓上型提灯のせ電気スタンド、２…スタンド本体、３…提灯シェード、４…円筒台座上部中心部、５…照明部材に空けられた正円、６…電球がねじ込まれたコード付きソケット部のクリップ部、７…提灯シェード用ストッパー、７−Ａ・７−Ｂ…ストッパー上部、７−Ｃ…ストッパー部下部、８−Ａ・８−Ｂ…提灯シェード下部開口部上部、８−Ｃ…提灯シェード下部開口部下部
【図１】
2016207628.tif 000003
(57)【要約】【課題】透明アクリル型電気スタンドのシェード部の外観デザインにモダンを施し、台座デザインに斬新な形状デザインを施し、完成形の透明アクリル型電気スタンドは本体に照明部材をはめ込み、簡単に装着できる透明アクリル型電気スタンドを提供する。【解決手段】円筒状の重量感ある台座の内側に照明部材をはめ込み、ネジを使わずに本体と一体化させ安定したあかりを提供する。和紙デザインの種類も豊富で顧客に多くの選択肢を提供できる。【選択図】図１
2016207629.tif 000002
【特許請求の範囲】
【請求項１】
円筒形の台座と一体化された本体と、本体中央部内側を一周する和紙が照明部シェードを構成する透明アクリル製電気スタンドであって、前記円筒形の台座と一体化された本体の下部の内側に照明部材を固定する固定手段と、前記円筒形の台座と一体化された本体の中央部の内側には和紙を巻きつけ、さらにその内側に塩化ビニル樹脂を巻き付けたことを特徴とする透明アクリル製電気スタンド。
【請求項２】
前記円筒形の台座と一体化された本体にさらに取っ手部を有することを特徴とする請求項１に記載の透明アクリル製電気スタンド。
【発明の詳細な説明】
【技術分野】
【０００１】本発明は透明のアクリルの内側にデザインが施された和紙と、それを固定する塩化ビニルを立脚一体化させた自立型の電気スタンドに関わる。
【背景技術】
【０００２】従来無機質であるアクリル部材の透明性を活かし、その未来感覚やハイテクな雰囲気と日本古来からある和紙と融合させることにより、ハイテクモダンな和風ランプシェードとして存在させ、広くインテリア照明として認知を仰ぐ。
【先行技術文献】
【特許文献】
【０００３】
【特許文献１】特開２００４−２９６１６８号公報
【特許文献２】特開２０１３−４５１２号公報
【発明の概要】
【発明が解決しようとする課題】
【０００４】インテリア照明として認知されてる和照明デザインの進歩は他のデザイン家具に比べて変化・発展に乏しく現在に至ってる。本発明は上記の問題点を解決しようとするもので、外観デザインにモダンを施し、照明部の和紙と行灯デザインに斬新な形状デザインを施し、完成形の電気スタンドは、透明な円筒状の筒の行灯に、照明部材を固定一体化させ、コード付きクリップと、はかさばらずに済むことにある。
【課題を解決するための手段】
【０００５】円筒状の台座と、照明部材と、円筒内部の中央を一周されたデザインを有する和紙を有する電気スタンドであって、前記円筒状の台座底面は完全に安定固定され、前記円筒状の台座の内側面に、照明部材を固定する固定手段を有することを特徴とする、提灯型電気スタンド。
【発明の効果】
【０００６】以上の説明のように発明すれば材料も少なく組み立てもシンプルで簡単である。台座自体が本体であり、ネジを使用しないで台座と照明部材を一体化させて透明アクリル型電気スタンドを完成させ、台座を円筒状にすることにより電気スタンドの立脚を安定化させ、他との差別化にもなり、和のテイストに加えモダンでユニークな印象を得られる。今回使用する材料は透明アクリルである。特徴は、全体が全て透明であること。その中央にデザインを有する和紙を一周させることで和紙そのものに焦点を集中させられる。その和紙部の内側から照明部材で照らす仕組みである。特徴は、前記円筒状の立脚部材を本体とし、照明部材を一体化させたこと、台座の着地面が平板状であること、台座と本体を完全一体化することにある。
【図面の簡単な説明】
【０００７】
【図１】この発明の実施の形態の１例を示す透明アクリル型電気スタンドの斜視図である。
【発明を実施するための形態】
【０００８】以下図を参照しながら形態を説明する。図中、１は透明アクリル型電気スタンドで、その本体内側中央部で一周した和紙を保持させて成る。
次にスタンド本体の構成について説明すると、透明アクリル型電気スタンド１の、円筒下部はめ込み部Ａ  ４に、照明部材はめ込み部Ａ  ５をはめ込み、円筒下部はめ込み部Ｂ  ６に、照明部材はめ込み部Ｂ  ７をはめ込みます。
照明部材８を本体１にはめ込むタイミングは、本体１を横置きにして、４と６の切り込み部の対角線にある１‐Ａを垂直に真下に押えます。その時円筒が楕円形にしなります。その瞬間に、照明部材８の５と７を本体１の４と６の切れ込みにはめ込みます。
はめ込まれた瞬間に楕円に変形した円筒は正円に戻り透明アクリル型電気スタンドは立脚します。４８０ミリ×１５０ミリの３ミリ厚透明アクリルはほどよい重量感で立脚安定します。電気コードは、コードが通る円筒背面最下部１１から背後に通すことで、目立たなくしてあります。
【００９】次に、和紙の貼付けを説明する。あらかじめ裁断された和紙を透明アクリル型電気スタンド１の本体内側に上から巻き入れます。照明部材８の５と７の上のラインで一周させ位置を決め、更にその内側に、和紙を内側から固定させる塩化ビニル２‐Ａを巻き付け、和紙が内側でピッタリはりつくように合わせ、５と７のはめ込み部の形に添って和紙をカッティングします。
【００１０】透明アクリル型電気スタンド１の正面上部はアクリル上部取手部３になり、丁度和紙デザイン部に触らないでいい面積になっております。持ち運び、設置の為の取手にもなります。
透明アクリル型電気スタンド１の本体下部に入れられた溝４、６に対して照明部材８を差し込み、これで本体円筒部１の外側から内に力が加わることによって、より安定した立脚が可能になり、照明部材とソケット部が安定することで提灯の灯りが安定し、より安全が確保される。
更なる特徴的発明として上げれば、透明アクリル型電気スタンド１の本体下部に、照明部材８を一体化させ、その照明部材８に、照明部材に空けた正円９という構造だけで、電球を点灯させるという極めてシンプルな発明に加え、材料と構造と外観デザインを極限までシンプルにしたことにある。
【符号の説明】
【００１１】１…透明アクリル型電気スタンド、１‐Ａ…本体を横置きにした時の４と６の対角線上部、２…和紙、２‐Ａ…和紙を内側から固定させる塩化ビニル、３…アクリル上部取手部、４…円筒下部はめ込み部Ａ、５…照明部材はめ込み部Ａ、６…円筒下部はめ込み部Ｂ、７…照明部材はめ込み部Ｂ、８…照明部材、９…照明部材に空けられた正円、１０…電球がねじ込まれたコード付きソケット部のクリップ部、１１…コードが通る円筒背面最下部
【図１】
2016207629.tif 000003
(57)【要約】      （修正有）【課題】今までは、１人分を計量する為乾麺を一度袋から出し計量し多かった分を又、袋に入れ戻す作業や、１人分ずつで縛ってある乾麺のヒモが簡単に外れなかったりした事もあり、乾麺の容易な計量法の提供。【解決手段】乾麺を販売する際に用いる袋に１人分１と切り取り線をプリントする。乾麺の種類や乾麺の内容量により袋には、１人分１、１．５人分２と切り取り線をプリントする。袋を切り取り線に沿って切るだけの作業による乾麺の計量。【選択図】図３
2016189766.tif 000002
【特許請求の範囲】
【請求項１】
乾麺を販売する際に用いる袋に１人分と切り取り線をプリントする。
【請求項２】
乾麺の種類や乾麺の内容量により袋には、１人分、１．５人分と切り取り線をプリントする。
【発明の詳細な説明】
【技術分野】
【０００１】この発明は、袋に切り取り線をプリントする事で、切った袋の入口が、乾麺計量として使用出来る。消費者が、調理する際、計量道具を使用せず乾麺の計量が出来る。
【背景技術】
【０００２】従来は、乾麺製造工程において一人前ずつに縛る作業と縛るヒモが、必要だったが、袋が、そのまま計量器になるので縛る作業と資源の節約になる。
【先行技術文献】
【特許文献】
【０００３】今までは調理する際、一人分の量を計る為、計量の道具を利用するか、一束ずつ縛ってある物を購入した場合は、縛ってある物を外す作業が、必要だった。
【特許文献１】
【特許文献２】
【非特許文献】
【０００４】
【非特許文献１】
【非特許文献２】
【発明の概要】
【発明が解決しようとする課題】
【０００５】今までは、調理をする場合、袋を開け乾麺を何グラムかを計るか、丸い穴の開いた物に乾麺を入れて計るか、一束ずつで入っている場合は、ヒモを外す手間が、あった。
【課題を解決するための手段】
【０００６】乾麺（パスタ及びスパゲッティ、うどん、そば、そうめん、ひやむぎ等）の袋上部に１人分又は、１人分、１．５人分の切り取り線をプリントし切り取った部位から出てくる量が、１人分、１．５人分計れる様にした。
【発明の効果】
【０００７】調理の時間短縮と製造業の一人分ずつ分けてヒモの取り付け、消費者のヒモ外しが、不必要になり両者にとってメリットがある。
【図面の簡単な説明】
【０００８】
【図１】本発明の実施図、乾麺を袋から出す際の平面図
【図２】１人分の切り取り線をプリントした平面図。
【図３】１人分、１．５人分と切り取り線をプリントした平面図。
【発明を実施するための形態】
【０００９】▲１▼の部分を切り取る事で１．０人分の乾麺が、計れる。
▲２▼の部分を切り取る事で１．５人分の乾麺が、計れる。
【実施例】
【００１０】パスタ１人分の場合１００グラムになる量をまとめその円周の１／２の長さを接着面下の箇所にプリントする。接着面もハサミで切り易い様プリントする。
【産業上の利用可能性】
【００１１】海外市場からも容易に乾麺計量が出来る事で関心を持って頂けるのでは、ないかと考えます。
【符号の説明】
【００１２】▲１▼  切り取る
▲２▼  切り取る
【図１】
2016189766.tif 000003
【図２】
2016189766.tif 000004
【図３】
2016189766.tif 000005
(57)【要約】【課題】  この発明は、突起物を葉菜類の芯に刺すことにより、葉菜類の鮮度を維持、向上させるレタス等の葉菜類の鮮度保持器具を提供する。【解決手段】  １つの台座（１）に１本ないし数本の突起物（２）を設けたことを特徴とするレタス等の葉菜類の鮮度保持器具。【選択図】図１
2016189764.tif 000002
【特許請求の範囲】
【請求項１】
１つの台座（１）に１本ないし数本の突起物（２）を設けたことを特徴とするレタス等の葉菜類の鮮度保持器具。
【発明の詳細な説明】
【技術分野】
【０００１】  この発明は、突起物を葉菜類の芯に刺すことにより、葉菜類の鮮度を維持、向上させるレタス等の葉菜類の鮮度保持器具に関するものである。
【背景技術】
【０００２】  従来、葉菜類の鮮度保持のためには、水分補給器が発明されていた。
また、伝承技術として葉菜類の芯に数本の爪楊枝を刺すことにより、芯に刺激を与え、葉へ水分補給路を確保する方法がある。
【先行技術文献】
【特許文献】
【０００３】
【特許文献１】  特開２００１−１６３４４３号公報
【特許文献２】  特開２００１−２２４３０５号公報
【発明の概要】
【発明が解決しようとする課題】
【０００４】  これは、つぎのような欠点があった。
（イ）水分補給器については、構造的にやや複雑で場所を取り、給水、および、洗浄等の  手間がかかり、一般家庭での冷蔵庫保管には適していなかった。
（ロ）爪楊枝を刺す方法では、爪楊枝の底部が細いため、指で押し込むのが困難であった。
まっすぐには刺さらない。
折れて怪我をする。
芯を破断するなどの問題があった。
（ハ）爪楊枝を刺す方法では、爪楊枝の再利用が困難であった。
本発明は、以上のような欠点をなくすためになされたものである。
【課題を解決するための手段】
【０００５】  １つの台座（１）に１本ないし数本の突起物（２）を設ける。
台座には、指で引き抜き易いような穴を開けてある。
本発明は、以上の構成よりなるレタス等の葉菜類の鮮度保持器具である。
本発明を使用するときには、当保持器具をレタス等の茎に、指、または、垂直に差し込む。
【発明の効果】
【０００６】（イ）構造が簡単であり、給水等の必要がなく、一般家庭での冷蔵庫保管に適している。
（ロ）突起物を台座に固定しているため、指で押し込むことが容易になり、すべての突起物を垂直に挿入でき、怪我や芯の破断の心配がない。
また、台座底面を包丁の柄などで叩いて挿入することも可能である。
（ハ）容易に引き抜き可能であり、再利用できる。
【図面の簡単な説明】
【０００７】
【図１】  本発明の正面図である。
【図２】  本発明の平面図である。
【図３】  本発明の使用状態を示した斜視図である。
【発明を実施するための形態】
【０００８】  以下、本発明の実施の形態について説明する。
１つの台座（１）に１本ないし数本の突起物（２）を設ける。
台座には指で引き抜き安いような穴を開けてある。
本発明は、以上のような構造である。
本発明の使い方を説明する。
突起物（２）の先端をレタス等の葉菜類（３）の芯底面に押し当て、台座（１）を指の力で押し込めばいい。
また、このとき、台座（１）の底面を包丁の柄などで叩くことにより挿入してもいい。
【符号の説明】
【０００９】    １  台座
２  突起物
３  レタス等の葉菜類
【図１】
2016189764.tif 000003
【図２】
2016189764.tif 000004
【図３】
2016189764.tif 000005
(57)【要約】      （修正有）【課題】優れた顧客誘引力をもち、遠くからでも顧客が発見しやすい自動販売機の提供。【解決手段】自動販売機１のボックス状の本体部２の上面２０に、人または動物またはロボットなどの顔をもつ頭部３を設置し、この頭部３の前面３０に設けた一対の目、一対の眉毛、鼻及び口で微笑む表情または喋る表情など複数の表情を形成したり、東部３を水平回動または前後に傾動動作（お辞儀動作）させたりすることにより、従来の自動販売機と比べて高い顧客誘引力を持たせることができる。【選択図】図１
2016218608.tif 000002
【特許請求の範囲】
【請求項１】
金銭受け取り機能及び商品またはサービスの販売機能を少なくとも有するボックス状の本体部と、この本体部の上面から上方へ突出する頭部を備え、
この頭部の前面は人、動物及びロボットの少なくとも一つの顔面をもつことを特徴とする自動販売機。
【請求項２】
この頭部の前面は、少なくとも目、鼻及び口を有する請求項１記載の自動販売機。
【請求項３】
この頭部は、本体部に着脱可能に固定されている請求項１記載の自動販売機。
【請求項４】
本体部に相対移動可能に支持された頭部を駆動するモータと、このモータを駆動する回路とを有する請求項１記載の自動販売機。
【発明の詳細な説明】
【技術分野】
【０００１】
本発明は自動販売機に関し、特に優れた顧客誘引力をもつ自動販売機に関する。
【背景技術】
【０００２】
同種の商品を販売する複数の自動販売機が一つの販売用スペースに設置されているケースでは、他社の自動販売機に対する自社の自動販売機の相対的な顧客誘引力を改善することが望まれている。しかし、ほとんどの自動販売機は設置スペースの制約及び商品収容量の増加のために同様のボックス形状をもち、各社の自動販売機の間の顧客誘引力の差はほとんどなかった。
【０００３】
自動販売機の顧客誘引力を向上するために、特許文献１は自動販売機の本体よりも大きい前面扉を採用し、特許文献２は自動販売機の側面に看板を設置することを提案している。
【０００４】
しかしながら、大きな前面扉を採用したとしても大型自動販売機との基本的な形状差がほとんど無いため、特許文献１は自動販売機の顧客誘引力は十分に改善しない。自動販売機の側面に看板を増設する特許文献２の自動販売機は必要な設置スペースが増加するという欠点をもつ。
【先行技術文献】
【特許文献】
【０００５】
【特許文献１】特開２０１３ー２５０６２６号公報
【特許文献２】特開２０１４ー２１６９９号公報
【発明の概要】
【０００６】
本発明は優れた顧客誘引力をもつ自動販売機を提供することをその目的としている。
【０００７】
本発明の自動販売機は、ボックス状の本体部の上面から上方へ突出する頭部をもち、この頭部の前面は、人または動物またはロボットなどの顔面をもつ。
【０００８】
この頭部の前面は少なくとも目及び口を有する顔面をもつ。好適には、この顔面は眉毛及び/または鼻及び/または耳及び/または髭及び/または頭髪として認識可能な模様または形状をもつ。この顔面はたとえば笑顔のような好ましい表情をもつ。通常の人間とりわけ子供は人間や動物やロボットの好ましい表情に強く惹かれるため、この自動販売機は強力な顧客誘引力を発揮することができる。猫、兎などの小動物や子供などの頭部はほとんどの人に好かれるため、特に好ましい。ボックス状の自動販売機の本体部はロボットの胴体に類似するため、ロボットの頭部は最も好適である。
【０００９】
結局、非常に目立つ本発明の自動販売機は従来の無機的なボックス状の自動販売機と比べて子供などに強い親愛感を与えることができるため、優れた販売促進性を発揮することができる。
【００１０】
この頭部は従来の自動販売機に相当する本体部の上方に設置されるため、自動販売機の商品収容能力が減ることがなく、自動販売機の設置面積が増大することもない。さらに、この頭部は自動販売機の本体構造を変更する必要がないため、既設の自動販売機に容易に追加することができる。
【００１１】
好適には、この頭部は本体部に着脱可能に設置される。これにより、この自動販売機の本体部は頭部を外すことにより低い設置スペースにも設置されることができる。頭部を定期的に交換することもできる。頭部を照明することも可能である。
【００１２】
好適には、この頭部は表情を変更することができる。一例において、この自動販売機は喋る機能をもち、喋る時に口が動く。もう一つの例において、この自動販売機は瞼を開閉することができる。もう一つの例において、頭部は回動または傾動する機能をもつ。頭部の動作または表情の変化は顧客の好感度を向上する。
【図面の簡単な説明】
【００１３】
【図１】本発明の自動販売機の一例を示す模式前面図である。
【図２】頭部を駆動するための回路の一例を示すブロック回路図である。
【発明を実施するための形態】
【００１４】
図１は本発明の自動販売機の一つの実施例を示す模式側面図である。図１において、自動販売機１は、ボックス状の本体部２と、この本体部２の上面２０に固定された頭部３とからなる。本体部２は金銭受け取り機能、商品またはサービスの表示機能及び販売機能を少なくとも有する。本体部２は本質的に従来の飲料用自動販売機と同じ構造及び形状をもつため、さらなる説明は省略される。略ボール状に形成された頭部３の前面３０はロボットの顔をもつ。頭部３は、よく知られたロボットの頭部に類似する形状をもつことができる。
【００１５】
頭部３の前面３０は一対の目、一対の眉毛、鼻及び口を有している。図略の台座部が本体部２の上面２０に固定され、頭部３の下部がこの台座部に頭部３にネジなどにより着脱可能に固定されている。
【００１６】
頭部は微笑む表情または喋る表情などの複数の表情を形成することができる。頭部３は水平回動動作または前後傾動動作（お辞儀動作）を行うことができる。頭部は点滅ライトなどの照明器具を内蔵することができる。
【００１７】
図２は頭部３を動かすための電気回路を示すブロック図である。頭部３は水平回動可能に台座部に支持されている。モータ４は頭部３を頭部３を水平回動させる。モータ駆動回路５はモータの回転を制御する。コインの投入が検出された時、コントローラ６はモータ駆動回路５へモータ駆動を指令し、モータ駆動回路５はモータ４へ通電する。これにより、頭部３は水平回動する。頭部４の水平回動の代わりに、頭部４の昇降動作やお辞儀動作を採用することも可能である。
【図１】
2016218608.tif 000003
【図２】
2016218608.tif 000004
(57)【要約】      （修正有）【課題】発音速度に優れつつも効果的に音が減衰して落ち着くギターピックの形状・構造を提供する。【解決手段】厚さ１ｍｍ程度のギターピックを二枚用意する。次に、２±０．５ミリ、先端約９ミリ程度のスペーサーを作り、準備しておいた二枚のギターピックとスペーサーを張り合わせて二層化する。【効果】この様な、形状・構造を二層化したギターピックを用いて弦を弾くと、二層が連続して弦にアタックを与え、イチョウ型の波形を得られる。【選択図】図４
2016218416.tif 000002
【特許請求の範囲】
【請求項１】
厚さ２±０．５、先端約９ミリ程度のスペーサーを使い二層化したギターピック。
【発明の詳細な説明】
【発明の詳細な説明】
【技術分野】
【０００１】本発明は、従来品よりも音の発音速度に優れつつ、効果的に音が減衰して落ち着く効果を両立したギターピックの形状・構造に関するものである。
【背景技術】
【０００２】従来のギターピックで弾いた音をサンプリングすると図１のような波形を示していた。
【発明が解決しようとする課題】
【０００３】波形を図２のようなイチョウ型に近づけることができれば、そのときの音色は発音速度に優れつつも効果的に音が減衰して落ち着く音色となる。
しかしながら、従来のギターピックでいくら人間の手の力加減を変えて弦を弾いても波形の形状はほとんど変化せず音量が大きくなったり小さくなったりするだけであり、イチョウ型にはならない課題があった。
【課題を解決するための手段】
【０００４】二層ギターピックの形状・構造を図３、図４、図５を交えて説明すると、
（イ）従来のギターピックと同形状の厚さ１ｍｍ程度のものを二枚用意する。
（ロ）２±０．５ミリ、先端約９ミリ程度のスペーサーを作り、（イ）で準備しておいた二枚とスペーサーを張り合わせて二層化する。
以上のようになる。
【発明を実施するための形態】
【０００５】従来品のギターピックと同じ要領で演奏に使用することで、イチョウ型の波形がえられる。
従来品のギターピックの材質は樹脂が一般的に使われているが、本発明は構造上、弦に二層が連続してアタックすることからスクラッチノイズが出やすく、回避方法として金属、主に真鍮材を用いて作成されたものがスクラッチノイズを吸収しやすく理想的な音色を得やすい。
また、適切な積層距離をテストし、２±０．５ミリ程度以上では単弦をアタックする場合に隣接弦へのミスタッチが発生しやすくなる。加えて、２±０．５ミリ程度以下ではイチョウ型に近づく波形を得づらく効果が少なくなってしまうことを確認している。
【発明の効果】
【０００６】二層ギターピックを用いて従来品と同様に弦を弾くと、二層が連続して弦にアタックを与え、イチョウ型の波形を得られる。
【図面の簡単な説明】
【０００７】
【図１】従来型のギターピックによる発音をサンプリングした波形の図
【図２】二層ギターピックによる発音をサンプリングした波形の図
【図３】本発明品の平面図
【図４】本発明品の展開図
【図５】本発明品の断面図
【図１】
2016218416.tif 000003
【図２】
2016218416.tif 000004
【図３】
2016218416.tif 000005
【図４】
2016218416.tif 000006
【図５】
2016218416.tif 000007
(57)【要約】      （修正有）【課題】葬儀社が遺族を顧客として囲い込むためのスマートフォンアプリケーションシステムを提供する。【解決手段】スマートフォンアプリケーション３ｃとクラウドによるユーザーの管理機能とを、マスター１ａにより割り振られた葬儀社等の会社識別番号をキーとして連携させ、ユーザーである遺族等に先祖・物故者に対する礼拝の念の涵養を促すとともに単一のシステムにより複数の葬儀社等がそれぞれ特定のユーザーを管理し囲い込むことを可能にする。【選択図】図１
2016099988.tif 000002
【特許請求の範囲】
【請求項１】
スマートフォンアプリケーション（３ｃ）においてマスター（１ａ）により割り振られた葬儀社等の会社識別番号を認識させることにより、葬儀社等の管理機能（２ｂ）とユーザーとを関連づけ、単一のシステムにより、それぞれの葬儀社等がそれぞれ独自のコンテンツを提供でき、クラウド上で特定の葬儀社等が特定のユーザーを管理できるスマートフォンアプリケーションシステム。
【請求項２】
遺影写真表示機能、命日・年忌のアラーム機能、忘備録機能、葬儀社等からの情報提供機能を特徴とする請求項１に記載のスマートフォンアプリケーションシステム。
【発明の詳細な説明】
【技術分野】
【０００１】スマートフォンアプリケーション（３ｃ）とクラウドによるユーザーの管理機能（２ｂ）とを、マスター（１ａ）により割り振られた葬儀社等の会社識別番号をキーとして連携させ、ユーザーである遺族等に先祖・物故者に対する礼拝の念の涵養を促すとともに、単一のシステムにより複数の葬儀社等がそれぞれ特定のユーザーを管理し囲い込むことを可能にするスマートフォンアプリケーションシステムに関する。
【背景技術】
【０００２】スマートフォンは急速な勢いで普及しているが、葬儀社等ではスマートフォンアプリケーションを顧客の囲い込みツールとして有効に利用できていない。
【発明の概要】
【発明が解決しようとする課題】
【０００３】葬儀社を始めとする墓石店、霊園、仏壇店、寺社などの葬儀関連業界は、従来より、顧客の囲い込み（日常的な顧客との関わり）が難しい業界と言われている。
各社とも顧客の囲い込みには苦心しているが、これといった方策がないのが現状である。
その要因の一つには、先祖・物故者に対する礼拝の念が希薄になってきたことが挙げられる。
一例を挙げると、宗教用具の国内生産出荷金額は、１９９０年の１，２９９億円をピークに減少傾向となり、２００７年には４７６億円にまで減少している。
葬儀関連業界では、各人の先祖・物故者に対する礼拝の念を涵養し、もって葬儀関連業界の発展に繋がるようなツールやシステムの構築が望まれている。
【課題を解決するための手段】
【０００４】本発明は、遺影写真表示等をコンテンツとするスマートフォンアプリケーション（３ｃ）とクラウドによる管理機能（２ｂ）とを連携させることにより、日々の生活の中で遺族等が故人を意識し、礼拝の念を涵養しつつ、葬儀社等と遺族等との関わりを続けていくことにより、葬儀社等が遺族等のユーザーを囲い込むことを可能にした。
具体的なコンテンツとしては、遺影写真表示、命日・年忌のアラーム、忘備録、葬儀社等からの情報提供等である。
しかし、スマートフォンアプリケーションの開発・運用には高額な費用が必要となるので、それぞれの葬儀社等が個別で開発・運用することは、その費用対効果から考えても現実的ではない。
そこで、本システムにおいては、会社識別番号によりユーザーと葬儀社等とを関連付け、それぞれの葬儀社等では関連付けられた遺族等のみを管理することを可能にした。
これにより、一つのシステムにより複数の葬儀社等がそれぞれ特定のユーザーのみを管理することが可能となり、それぞれの葬儀社等が開発・運用に高額な費用をかけなければならないという問題を解決した。
【発明の効果】
【０００５】葬儀社等が囲い込みを行う第一義的な顧客である遺族等の囲い込みはもちろん、このシステムによれば、遺族等以外への働きかけも従来と比べると格段に容易なものとなる。
本アプリケーションを利用する際に、特定の葬儀社等の識別番号を認識させることにより、利用を希望する者は、特別な申込み等をする必要もなく、簡単にアプリケーションの利用を開始することができる。
アプリケーションの利用を開始した遺族等は、その時点で葬儀社等に関連づけられ、囲い込み対象（営業対象）となる。
また、いわゆる口コミ等により、このアプリケーションの評判が広まれば、自然発生的な囲い込み対象（営業対象）の大きな広がりも期待できる。
【図面の簡単な説明】
【０００６】
【図１】システム全体図
【発明を実施するための形態】
【０００７】単一のシステムにより、複数の葬儀社等がそれぞれ独自のユーザーを管理できるようにするため、マスター（１ａ）において葬儀社等を特定するためのＩＤ（会社識別番号）を割り振り、ユーザーが特定の葬儀社等のＩＤをアプリケーション（３ｃ）上で認識させることにより、葬儀社等とユーザーとを関連づけ、特定の葬儀社等の管理機能（２ｂ）により特定のユーザーを管理することができるようにした。
【０００８】各葬儀社等がそれぞれの独自性を表現できるよう、背景イメージ及び音楽をそれぞれ独自に設定できるようにすることにより、関連付けられたユーザーに独自の内容を提供することができるようにした。
【０００９】遺影写真表示機能では、ユーザーの希望する任意の写真を１〜４枚登録することができ、その写真とは別の１〜４種類の写真を組み合わせることにより、ユーザーの故人に対する思いを繊細に表現できるようにした。
【００１０】命日・年忌のアラーム機能では、亡くなった日を入力することにより、月命日や年忌日を特定し、該当日にアラーム通知をすることとした。ただし、月命日・年忌日に関しては、当日のアラーム通知よりもそれ以前の日のアラーム通知が望まれることが多いので、ユーザーの意思により通知日時を変更することができるようにした。
【００１１】故人に関して書き留めておきたいことは多数あるものである。親しかった友人、葬儀を行った寺院、葬儀にかかった費用などを忘備録機能により、項目ごとに整理し記録しておくことができるようにした。
【００１２】ユーザーとの繋がりを維持していくためには、葬儀社等からの積極的な情報提供が不可欠となる。このシステムでは、葬儀社等から任意に登録ユーザに対して情報発信ができるようにし、ユーザーとの繋がりを維持しやすくした。
【符号の説明】
【００１３】１ａ  マスター
２ｂ  葬儀社等の管理機能
３ｃ  スマートフォンアプリケーション
【図１】
2016099988.tif 000003
(57)【要約】【課題】現在のＬＥＤ交通信号灯器は、赤、青、黄３個の灯火により表示している。  ＬＥＤを同一の発光面に取り付け、１個の灯火で赤、青、黄３色のそれぞれを、任意に点灯表示できる軽量化された交通信号灯器により、３個の灯火が必要な、現在のＬＥＤ交通信号灯器の重量を、大幅に下回る交通信号灯器を提供する。【解決手段】赤、青、黄３色のＬＥＤを同一の発光面に取り付けることで、１灯で３色を任意に点灯できることを特徴とする。【選択図】図１
2016099989.tif 000002
【特許請求の範囲】
【請求項１】
赤、青、黄３色のＬＥＤを、同一の発光面に取り付け、これを発光させることにより、１個の灯火で、赤、青、黄それぞれを、任意に点灯する機能を設けた交通信号灯器。
【発明の詳細な説明】
【技術分野】
【０００１】  この発明は、交通信号灯器の重量軽減を目的として、赤、青、黄３色を１灯で任意に点灯表示する機能を持つ交通信号灯器に関するものである。
【背景技術】
【０００２】  従来、ＬＥＤ交通信号灯器は、電球を使用するものに比べ軽量化されているが、更に軽量化の余地がある。
【先行技術文献】
【特許文献１】
【０００３】
【発明の概要】
【発明が解決しようとする課題】
【０００４】    これは次のような欠点があった。
従来、ＬＥＤ交通信号灯器は、電球を使用する鋼板製のものに比べ、灯器の体積を減  少、アルミ合金を使用する等で軽量化されたが、現在も表示のために、赤、青、黄３個  の灯火が必要である。このため、これの大幅な減量は難しい。
本発明は、以上のような欠点をなおすためなされたものである。
【課題を解決するための手段】
【０００５】    赤、青、黄３色のＬＥＤ（１）を、発光部となる同一の円型基板（２）に均等に取り  付け、これ１個で、赤、青、黄３色の発光が可能な灯火（３）と、その他の所要部品（  ４）を組み合わせ、これらを組み込んだ信号灯器（４）からなる。
本発明は、以上の構成によりなる交通信灯器である
【発明の効果】
【０００６】  赤、青、黄３色のＬＥＤを、発光部となる同一の円型基板に、均等に取り付けることにより、１個の灯火で、３色それぞれの発光が可能となる。
これを、３灯方式のＬＥＤ交通信号灯器と対比すれば、３灯のうちの２灯が不要となるので、これの重量を大幅に軽減することが可能である。
副次効果として、１灯で３灯分の働きをする交通信号灯器の長所を生かすため、表示部を大幅に拡大し、かつ、青灯を蛇の目模様に、赤灯、または黄灯のどちらかを太い×印に、残る１灯を全面で点灯することで、３灯がそれぞれ異なる形態の表示となり、視認性の向上、色弱者の灯色の判別に効果のあることが見込まれる。
【図面の簡単な説明】
【０００７】
【図１】  本発明の正面図である。
【発明を実施するための形態】
【０００８】  以下、本発明を実施するための形態について説明する。
発光部となる１個の円型の基板（１）に、赤、青、黄３色のＬＥＤ（２）を全面に均等に取り付け、その他の所要部品（３）と組み合わせて、交通信号灯器内に組み込む。
本発明は以上のような構造である。
これを使用するときは、１灯方式のＬＥＤ交通信号灯器として、赤、青、黄３色の灯火を任意に点灯表示すればいい。
【符号の説明】
【０００９】  １  円型の基板
２  赤、黄、黄のＬＥＤ
３  その他の所要部品
【図１】
2016099989.tif 000003
(57)【要約】【課題】  従来のチエックテープは、１枚１枚の手作りで時間ロスと作製時指先の皮膚がテープの粘着剤に侵される等欠点が多大であった。  現在のマンション建設等の完成検査は複数回に渡り行っているので大量のチエックテープが使用されているのが実態である。  本発明のチエックテープ加工版は、短時間で簡単に大量生産が可能なので最適の工法である。又、その他の分野でも充分活用できるチエックテープ加工版を提供する。【解決手段】  薄い平板（１）表面にチエックテープ（５）の必要長さ間隔の端部に剥離剤塗布面（４）兼用の長方形開口部（３）を直角方向に連続配列させたチエックテープ加工版（２）。【選択図】図２
2016099620.tif 000002
【特許請求の範囲】
【請求項１】
薄い平板（１）表面にチエックテープ（５）の必要長さ間隔の端部に剥離剤塗布面（４）兼用の長方形開口部（３）を直角方向に連続配列させたチエックテープ加工版（２）。
【発明の詳細な説明】
【発明の詳細な説明】
【発明に属する技術分野】
【０００１】  この発明は、チエックテープ（５）の大量作製と簡単に剥がしやすくする部分の剥離剤塗布面（４）を長方形開口部（３）に兼用させ、同時にテープカット定規も兼用させたチエックテープ加工版（２）に関するものである。
【背景技術】
【０００２】  従来のチエックテープは、マスキングテープを指先で必要寸法で１枚１枚契って剥がしやすく少々折り曲げて作っていた。
【発明が解決しょうとする課題】
【０００３】  これは次のような欠点があった。
従来のチエックテープは１枚１枚手作りのため、作製時間の比率が高く非効率的であった。又、指先の皮膚がテープの粘着剤に侵される等欠点が多大であった。
本発明は、以上のような欠点を無くすためになされるものである。
【課題を解決するための手段】
【０００４】  薄い平板（１）表面にチエックテープ（５）の必要長さ間隔の端部に剥離剤塗布面（４）兼用の長方形開口部（３）を直角方向に連続配列させたチエックテープ加工版（２）。
【発明を実施するための形態】
【０００５】  以下、本発明の実施の形態について説明する。
薄く剛性のある平板表面に、チエックテープ（５）の必要長さ間隔の端部に剥離剤塗布面（４）兼用の長方形開口部（３）を直角方向に連続配列させたチエックテープ加工版（２）に、マスキングテープを貼りやすくする為にテープ幅ライン（６）を入れた事と、マスキングテープ及び文字記入ペンの材質による浸透防止も考慮出来る等を特徴とするチエックテープ加工版（２）で、下記にチエックテープ（５）作製順序を説明する。
図２のチエックテープ加工版（２）にマスキグテープを図３に示す通り長方形開口部（３）に直角方向にテープを順序よく開口部内全面に貼る。次に裏面に返して図４の長方形開口部（３）内に剥離剤を全面に塗布する。その次に加工版両端の余分テープをカット除去及び開口部内の片辺にカッター入れチエックテープ（５）を分離させる。最後に表面に返して完成、図５で複数のチエックテープ（５）が同時に作製される。
大量生産は、チエックテープ加工版（２）の複数枚を繰り返しの手順で短時間で作製出来る。
【発明の効果】
【０００６】  本発明は、チエックテープ加工版の大きさ及び複数枚により同時に続々と作製出来るので、大幅な時間ロスの是正と省力化に繋がる。
又、チエックテープの均一と直接チエックテープ加工版を下敷きに兼用出来るので便利である。それから指先がテープの粘着剤面に接触しないので侵されることは無くなった。
【図面の簡単な説明】
【図１】本発明の薄い平板の表面図である。
【図２】本発明のチエックテープ加工版表面図である
【図３】本発明のチエックテープ加工版にマスキングテープを貼った図面である
【図４】本発明のチエックテープ加工版の裏面で剥離剤塗布面及びテープカット部図面である
【図５】本発明のチエックテープ加工版の表面で複数のチエックテープが作製された図面である
【図６】本発明のチエックテープ加工版のチエックテープは一般形状及び文字の浸透防止等を応用した詳細拡大図面である
【図７】本発明のチエックテープ加工版のバインダー使用による実施例図面である
【符号の説明】  １・薄い平板
２・チエックテープ加工版
３・長方形開口部
４・剥離剤塗布面
５・チエックテープ
６・テープ幅ライン
７・マスキングテープ
【図１】
2016099620.tif 000003
【図２】
2016099620.tif 000004
【図３】
2016099620.tif 000005
【図４】
2016099620.tif 000006
【図５】
2016099620.tif 000007
【図６】
2016099620.tif 000008
【図７】
2016099620.tif 000009
(57)【要約】【課題】片手開閉の折りたたみナイフには課題がある。従来のサイドロック機構はナイフのブレードをしっかりと固定できず、作業中に誤って回転してしまうことがあった。またネイル・マーク、サムノッチ・サムホール等は手の大きさ、爪の長さ・硬度などの個人差によって【解決手段】図２のようにパイプ状の回転部５内に凹凸状の山6と谷8の部品を内蔵することで、ブレードを指で押し出すだけで開閉し、またロック機構自体でブレードを固定するだけではなくハンドルを握る力をブレードの固定する力に活用でき、しっかり固定できる。【選択図】図５
2016144576.tif 000002
【特許請求の範囲】
【請求項１】
パイプ内部に凹凸状の谷２と山３の部品を内蔵することを特徴とする折りたたみナイフ。
【請求項２】
前記の機構によりブレードを横に押し出すことで、ピン内部パーツの谷２と山３が滑り、刃を開閉できることを特徴とする折りたたみナイフ。
【請求項３】
請求項１の機構により一般的な折りたたみナイフのロック機構とは異なりロック機構自体でブレードを固定するだけではなくハンドルを握る力を固定する力に活用できる。
【発明の詳細な説明】
【技術分野】
【０００１】
この発明は、片手で開閉できる折りたたみナイフに関するものである。
【背景技術】
【０００２】
従来の折りたたみナイフの機構であるロックバック・ライナーロック・バックスクウェアロック等の機構は両手で開閉するものが多い。
【０００３】
片手で開閉できる折りたたみナイフは米国特許US4083110 Aに示すようなサイドロック機構もしくはブレードにネイル・マーク、サムノッチ・サムホールを施したものである。
【先行技術文献】
【特許文献】
【０００４】
【特許文献１】US4083110 A
【非特許文献】
【０００５】
【非特許文献１】今井今朝春  「ナイフマガジン108」株式会社ワールドフォトブレス出版  2004年ｐｐ83〜91
【発明の概要】
【発明が解決しようとする課題】
【０００６】
しかしながら、以上の技術によれば、片手開閉の折りたたみナイフには課題がある。従来のサイドロック機構ではナイフの開閉時にハンドルからの強いテンションによるものであり、機構的にブレードを固定するものではなかった。そのためブレードをしっかり固定できない、及びナイフの開閉が困難であった。
【０００７】
またネイル・マーク、サムノッチ・サムホールは手の大きさ、爪の長さ及び硬度などの個人差によって片手で開閉することができない。
以上のことより、本発明の目的は、しっかりとブレードが固定でき簡単に開閉ができる機構を提供することを課題とする。
【課題を解決するための手段】
【０００８】
以上の課題を解決するために、第一発明は、図１のようにブレードピン１内に図２のような凹状に加工した谷２と、凸状に加工した山３を２つ取り入れたことを特徴とする折りたたみナイフである。
【０００９】
第二発明は図３のようなばね性の弱い丸棒材ハンドル４を使用したことを特徴とする折りたたみナイフである。
【発明の効果】
【００１０】
第一発明によれば、ピン５内部に凹凸のパーツ谷２と山３を取り込み、ハンドル４と接合することで、ブレード６を横に押し出すことで、ピン５内部パーツ谷２と山３がすべり刃を開閉できる。
【００１１】
前記の山３は角度を鋭角にすることで、ハンドル４を握る力がブレード６を固定する力へ強く利用することができ、従来のサイドロック機構よりブレードを固定できる。
【００１２】
第2発明によればバネ性の弱い、細い丸棒材をハンドルに使用することで、ハンドルの開閉を安易に行うことができる。
【図面の簡単な説明】
【００１３】
【図１】本発明のプレードピンの正面図である。
【図２】本発明のブレードピン内部機構の正面図である。
【図３】本発明のハンドルの正面図である。
【図４】本発明のブレードとピンの正面図である。
【図５】本発明の正面図である。
【発明を実施するための形態】
【００１４】
図１〜５を用いて本発明の基本的な構成を説明する。図１本発明のプレードピンの正面図である。図２本発明のブレードピン内部機構の正面図である。図３本発明のハンドルの正面図である。
図４本発明のブレードとピンの正面図である。図５本発明の正面図である。
【００１５】
まず、図1のようにブレード４とピン５を一体化したブレードピン１を構成する
【００１６】
ブレードピン内に図２のように山２と谷３それぞれの部品を噛み合わせて挿入する。
【００１７】
ハンドル４を山２と接合させ，図５のようにする。
【００１８】
以上のような実施形態によれば、ブレードを横に押し出すことで、ピン内部パーツの谷２と山３がすべり、容易に刃を開閉できる。
【符号の説明】
【００１９】
１  本発明のブレードピン
２  ピン内部の谷
３  ピン内部の山
４  本発明のハンドル
５  本発明のピン
６  本発明のブレード
【図１】
2016144576.tif 000003
【図２】
2016144576.tif 000004
【図３】
2016144576.tif 000005
【図４】
2016144576.tif 000006
【図５】
2016144576.tif 000007
(57)【要約】【課題】小銭入れを開けた際に、閉じ蓋が開いたままの状態を保持する必要がなく、かつ札を取り出す方向と小銭を取り出す方向が同一である構造および該構造による製品を提供するものである。【解決手段】中身が落ちないように保持する部分自体が閉じ蓋を兼ね、入れ物を閉じる際には、中身を保持する部分自体を折り上げて閉じる構造および該構造をもつ製品によるものである。【選択図】図１
2016144547.tif 000002
【特許請求の範囲】
【請求項１】
入れ物保持部を折り上げることにより入れ物を閉じ、折り下げることにより入れ物を開くものである。
【請求項２】
入れ物保持部が閉じ蓋を兼ねており、閉じ蓋として独立した部分はないものである。
【発明の詳細な説明】
【技術分野】
【０００１】
本発明は、財布、カバン、小物入れに関する。
【背景技術】
【０００２】
二つ折り財布や長財布において、小銭を入れる部分については、入り口上部をファスナーで閉じるタイプのもの、布や革で閉じるタイプのもの、がま口やバネ口金で閉じるタイプのものが一般的である。
これらのうち、布や革で閉じるタイプのものについては、次の問題があった。
例１
札を取り出す方向と小銭を取り出す方向が違うタイプの財布について。
札は上部に取り出すのに対し、小銭入れ部分を全開して取り出す小銭入れであるボックス型小銭入れがついたタイプでは、ボックス型小銭入れから小銭を取り出す方向は、札を取り出す方向に対して９０度違う方向へ取り出す形となる。
このため、札や小銭を見たり、取り出したりする際に財布を傾けたり、持ち替えたりする動作が必要となり、財布の内容物が落下する危険がぬぐえないものであった。
例２
札を取り出す方向と小銭を取り出す方向が同方向であるタイプ。
小銭入れ上部に小銭が落ちないための閉じ蓋がついているタイプであり、小銭を取り出すために閉じ蓋を開く必要があるタイプのものである。
閉じ蓋の開け方は、閉じ蓋上部を折り筋として、閉じ蓋下部を持ち上げることにより開くものであり、小銭を取り出すためには閉じ蓋が閉じてこないように、開けた状態を保持しておく、という動作が必要となる。
また、閉じ蓋が邪魔であるために、財布を持ち替える必要が出てくることもあり、持ち替えによる内容物の落下の危険性があるものである。
【発明の概要】
【発明が解決しようとする課題】
【０００３】
本発明はこうした問題を鑑みて、
札と小銭の取り出し方向が同じであり、小銭入れを開けた状態において、閉じ蓋が閉じてこないように、閉じ蓋を開いたまま保持する必要がない小銭入れを提供するものである。
【課題を解決するための手段】
【０００４】
入れ物保持部を折り上げることにより入れ物を閉じ、折り下げることにより入れ物を開くものであり、かつ入れ物保持部が閉じ蓋を兼ねており、閉じ蓋として独立した部分はない構造および該構造を持つ製品によるものである。
【発明の効果】
【０００５】
入れ物を一旦開いてしまえば、開いた状態が保持される。
【０００６】
閉じ蓋が下りてくることを気にしながら利用する必要がない。
【０００７】
取り出す方向が同じであり、持ちかえる必要がない。
【０００８】
閉じ蓋としての独立した部材を用意する必要がない。
【図面の簡単な説明】
【０００９】
【図１】本発明を利用した、小銭入れがついた財布であり、小銭入れ部分を折り下げて開いた図である。
【図２】図１の小銭入れ部分を折り上げて、小銭入れ部分を閉じた図である。
【発明を実施するための形態】
【００１０】
次に図面を参照しながら実施例の説明を行う。本発明は以下の実施例に限定されるものではない。
【実施例】
【００１１】
構造について説明する。
図１は、本発明を利用した、小銭入れを有する二つ折り財布をあらわした図であり、札入れ上部が開かれ、小銭入れ部分も開かれた状態である。
小銭保持部分は部材ａ、ｂ、ｃ、ｄからなり、部材ｄは部材ｆに接合されている。
小銭入れ部分を閉じるためには、小銭入れ保持部分を、部材ｄ上部と札保持部である部材ｅ、ｆとの間の折り筋で折り上げ、
部材ａにあるボタンｇと部材ｅにあるボタンｈを留めることによるものである。
小銭保持部分が折り上げられることにより、部材ａ上部が、部材eと部材ｄの間の折り筋部分に近接し、小銭入れ部分を閉じる形となる。
図２は小銭入れが閉じられた状態を現した図であり、開けるための動作は上記で説明した閉じる動作と反対の動作にて行う。
【００１２】
効果について説明する。
図１の部材eとfは札入れ部分であり、札取り出し口は図上方となっている。
開かれた状態の小銭入れ保持部ａ、ｂ、ｃ、ｄの小銭取り出し方向も図上方である。
使用方法の例としては次のとおりとなる。
図１の財布の札入れ部分e、ｆに向かって右側部分を図奥側から左手で持つ。
右手で札を出し入れし、同じく右手で小銭入れ部分を開閉し、小銭を取り出す。
本発明により、上記の動作が可能となり、従来製品にあった、閉じ蓋が閉じてくることを気にすることなく、また、財布を持ちかえることなく、さらには、財布の向きを傾けることもなく財布を利用することができる。
【産業上の利用可能性】
【００１３】
小銭入れ、カードケース、小物入れ、カバンをはじめとした入れ物全般に利用できるものである。
【図１】
2016144547.tif 000003
【図２】
2016144547.tif 000004